(57)【特許請求の範囲】
【請求項１】
動画を構成する多数の画像フレームの中から選択した複数の画像フレームから縮小サイズのサムネイル画像をそれぞれ作成し、これらのサムネイル画像を記録媒体にプリントする画像形成方法において、
１つ又は複数の動画からそれぞれ作成した前記複数のサムネイル画像を前記記録媒体にプリントする際に、１つの記録媒体に対して各動画の撮影時間順にサムネイル画像を１つずつ配置し、かつ同じ動画から選択された画像フレームのサムネイル画像を各記録媒体の同じ位置に配置してプリントし、
前記複数のサムネイル画像のうち、撮影時間が最初のサムネイル画像及び最後のサムネイル画像は高解像度で各記録媒体にプリントし、その他の各サムネイル画像は低解像度で各記録媒体にプリントすることを特徴とする画像形成方法。
【請求項２】
所定の位置に配置された複数の画像記録領域にそれぞれサムネイル画像がプリントされる記録媒体において、
前記各画像記録領域の周囲を囲むようにして略コの字形状に形成され、各画像記録領域をそれぞれめくることができる切り込みと、この切り込みの底辺に接して形成され指先を挿入する打ち抜き窓とが設けられていることを特徴とする記録媒体。
【発明の詳細な説明】
【０００１】
【発明の属する技術分野】
本発明は、画像形成方法及びその記録媒体に関し、更に詳しくは動画を構成する多数の画像フレームの中から選択した複数の画像フレームから縮小サイズのサムネイル画像をそれぞれ作成し、これらのサムネイル画像を記録媒体にプリントする画像形成方法及びその記録媒体に関するものである。
【０００２】
【従来の技術】
近年、動画をデジタル方式で記録再生可能なデジタルビデオカメラが普及している。このデジタルビデオカメラは、デジタルビデオ信号を扱うインターフェース規格であるＩＥＥＥ１３９４等によってパーソナルコンピュータに接続することが可能となっており、撮影した動画を容易にパーソナルコンピュータへ読み込むことができる。パーソナルコンピュータでは動画の編集を行ったり、撮影した動画や編集した動画をこれに接続されたハードディスクやメモリカードなどの外部記憶媒体に動画ファイルとして記憶させている。このように動画ファイルを記憶した際には、その動画ファイルを代表する画像フレームから縮小サイズのサムネイル画像を作成して記録紙等の記録媒体にプリントし、記憶させた動画ファイルの内容が確認できるようにしている。
【０００３】
ところが、ハードディスクやメモリカードなどに記憶される動画ファイルの増加に伴って、単一のサムネイル画像をプリントするだけでは各画像ファイルの内容を確認することが難しくなっている。そこで、動画ファイルの中から選択した複数の画像フレームから縮小サイズのサムネイル画像をそれぞれ作成して記録紙等の記録媒体にプリントする画像形成装置を用いて、各サムネイル画像を撮影時間順に並べて記録紙等の記録媒体にプリントし、動画ファイルの内容が確認し易いようにしている。
【０００４】
【発明が解決しようとする課題】
しかしながら、上記のような画像形成方法及び画像形成装置並びにその記録媒体では、選択された複数の画像フレームから作成した縮小サイズの各サムネイル画像を撮影時間順に隣接して並べた状態で１枚または複数枚の記録紙にプリントする。このため、各サムネイル画像を動画のように撮影時間順に見る際には、視線を左右および上下に頻繁に移動させなければならないという問題がある。また、１枚の記録紙に多くのサムネイル画像をプリントしようとすると、各サムネイル画像のサイズが小さくなって見にくくなるという問題がある。
【０００５】
本発明は、上記問題を解決するためになされたものであり、プリントした複数のサムネイル画像を見る際に視線を移動させることがなく素早く内容が確認でき、かつ多数のサムネイル画像をプリントする場合でも各サムネイル画像のプリントサイズが小さくなることがない画像形成方法及びその記録媒体を提供することを目的とする。
【０００６】
【課題を解決するための手段】
上記目的を達成するために、本発明の請求項１記載の画像形成方法は、動画を構成する多数の画像フレームの中から選択した複数の画像フレームから縮小サイズのサムネイル画像をそれぞれ作成し、これらのサムネイル画像を記録媒体にプリントする画像形成方法において、１つ又は複数の動画からそれぞれ作成した複数のサムネイル画像を記録媒体にプリントする際に、１つの記録媒体に対して各動画の撮影時間順にサムネイル画像を１つずつ配置し、かつ同じ動画から選択された画像フレームのサムネイル画像を各記録媒体の同じ位置に配置してプリントし、複数のサムネイル画像のうち、撮影時間が最初のサムネイル画像及び最後のサムネイル画像は高解像度で各記録媒体にプリントし、その他の各サムネイル画像は低解像度で各記録媒体へプリントすることを特徴とする。
【０００７】
また、請求項２記載の記録媒体は、所定の位置に配置された複数の画像記録領域にそれぞれサムネイル画像がプリントされる記録媒体において、各画像記録領域の周囲を囲むようにして略コの字形状に形成され、各画像記録領域をそれぞれめくることができる切り込みと、この切り込みの底辺に接して形成され指先を挿入する打ち抜き窓とが設けられているものである。
【０００８】
【発明の実施の形態】
図１は、本発明に係るデジタルビデオカメラおよび画像形成装置の構成を示すブロック図である。デジタルビデオカメラ１０は、撮像部１１、圧縮伸張回路１２、記録再生部１３、画像表示部１４、インターフェース部１５等から構成されている。
【０００９】
図示しないが、撮像部１１には撮影レンズ、ＣＣＤイメージセンサ、アナログ及びデジタル信号処理回路等が設けられている。撮像部１１は、撮影モード時には撮影レンズの後方に配置されたＣＣＤセンサの光電面に結像する光学的な被写体画像を電気的な撮像信号に変換するとともに、この撮像信号をデジタル化したデジタルビデオ信号を生成して圧縮伸張回路１２及び画像表示部１４に供給する。
【００１０】
圧縮伸張回路１２は、撮影モード時には撮像部１１から入力されるデジタルビデオ信号をＭＰＥＧ形式でデータ圧縮して記録再生部１３に供給する。また、再生モード時には記録再生部１３から入力されるＭＰＥＧ形式でデータ圧縮されたデジタルビデオ信号をデータ伸張して元のデジタルビデオ信号に戻して画像表示部１４に供給する。
【００１１】
記録再生部１３は、撮影モード時にはデータ圧縮されたデジタルビデオ信号をデジタルビデオテープに記録する。また、再生モード時にはデジタルビデオテープからデータ圧縮されたデジタルビデオ信号を読み出して圧縮伸張回路１２に供給する。なお、データ圧縮形式としてはＭＰＥＧの他にＤＶ、Ｍｏｔｉｏｎ  ＪＰＥＧなどでもよく、記録媒体としてはデジタルビデオテープの他に光ディスクやメモリカード等の半導体メモリなどでもよい。
【００１２】
画像表示部１４は、撮影モード時には撮像部１１から入力されたデジタルビデオ信号に基づいて、動画を液晶ディスプレイや電子ビューファインダ等に表示する。また、再生モード時には圧縮伸張回路１２から入力されたデジタルビデオ信号に基づいて、動画を液晶ディスプレイや電子ビューファインダ等に表示する。
【００１３】
インターフェース部１５は、外部接続機器との間でデジタルビデオ信号や各種制御信号の入出力を行うために設けられている。本実施形態では、デジタルビデオ信号を扱うインターフェース規格であるＩＥＥＥ１３９４によってパーソナルコンピュータ１８が接続されている。なお、デジタルビデオカメラ１０とパーソナルコンピュータ１８との接続は、ＩＥＥＥ１３９４の他にＵＳＢや無線接続のＢｌｕｅｔｏｏｔｈ（商標）などを用いてもよい。
【００１４】
画像形成装置２０は、パーソナルコンピュータ１８、ハードディスク２１、サーマルプリンタ２２、モニタ２３等から構成されている。この画像形成装置２０は、動画の中から選択した複数の画像フレームがそれぞれ縮小表示されるサムネイル画像をその撮影時間順に記録紙を替えてプリントした動画プリントを作成する。
【００１５】
パーソナルコンピュータ１８には、ＩＥＥＥ１３９４によってデジタルビデオカメラ１０が接続される他、ハードディスク２１、サーマルプリンタ２２、モニタ２３、キーボード２４、マウス２５などが適宜のインターフェースによって接続されている。
【００１６】
記録紙３０は、図２に示すように、符号３１，３２，３３，３４で示す４つの画像記録領域と貫通穴３５とが設けられている。各画像記録領域３１〜３４の周囲には切り込み３１ａ〜３４ａが設けられており、各画像記録領域３１〜３４をそれぞれめくることができるようになっている。また、各画像記録領域３１〜３４の底辺には、記録紙３０を重ね合わせたときにめくり易くするため、指先が挿入できる打ち抜きされた窓３１ｂ〜３４ｂがそれぞれ設けられている。
【００１７】
貫通穴３５は記録紙３０の位置決め穴であり、後述のサムネイル画像がプリントされた複数枚の記録紙３０を重ねるときに位置決めピン３６を挿入して各記録紙３０を所定の位置に位置決めする。
【００１８】
記録紙３０は周知のカラー感熱記録紙であり、支持体上にイエロー感熱発色層、マゼンタ感熱発色層、シアン感熱発色層が順次層設されている。最上層となるイエロー感熱発色層は熱感度が最も高く、小さな熱エネルギーでイエローに発色する。中間層となるマゼンタ感熱発色層は、イエロー感熱発色層とシアン感熱発色層との中間程度の熱エネルギーでマゼンタに発色する。最下層となるシアン感熱発色層は熱感度が最も低く、大きな熱エネルギーでシアンに発色する。
【００１９】
イエロー及びマゼンタ感熱発色層には光定着性が付与されており、イエロー感熱発色層は発光波長ピークが４２０ｎｍの紫色可視光が照射されたときに発色能力が消失し、マゼンタ感熱発色層は発光波長ピークが３６５ｎｍの紫外線が照射されたときに発色能力が消失する。なお、各感熱発色層の位置は、適宜変更することができる。また、例えばブラック感熱発色層等を設けて４層以上としてもよい。
【００２０】
図１において、パーソナルコンピュータ１８内には、ＣＰＵ４０、インターフェース部４１、画像読込部４２、メモリ４３、プリント制御部４４等が設けられている。パーソナルコンピュータ１８は、インターフェース部１５，４１を介してデジタルビデオカメラ１０から転送されてくる動画のデジタルビデオ信号を画像ファイルとしてハードディスク２１に記憶する。ハードディスク２１は十分な記憶容量を持っており、多数の画像ファイルを記憶させることができる。
【００２１】
モニタ２３は各種操作画面、例えば画像ファイルの再生画面、動画プリントのプレビュー画面などの各種情報を表示する。キーボード２４及びマウス２５は、各種操作の指示をする操作スイッチとして機能し、例えば動画プリントを行う画像ファイルの指定、サムネイル画像を作成する画像フレームの指定、動画プリント開始の指示などを行う。
【００２２】
画像読込部４２は、画像ファイルの動画の中からユーザーが指定した画像フレームを読み込んで、これを縮小表示したサムネイル画像を作成する。図３に示すように、作成されたサムネイル画像４５はメモリ４３内に各画像ファイルＡ〜Ｄ毎に書き込まれる。
【００２３】
なお、サムネイル画像４５をプリントする記録紙３０の画像記録領域３１〜３４は前述のように４つ（図２参照）であるので、メモリ４３にサムネイル画像４５を書き込むことができる画像ファイルは最大で４つまでとなる。また、画像フレームの指定は、ユーザーが予め設定した時間間隔で自動的に行われるようにしてもよい。
【００２４】
プリント制御部４４は、メモリ４３に書き込まれている各画像ファイルＡ〜Ｄのサムネイル画像４５をプリントするプリント位置を決定するとともに、サムネイル画像４５を撮影時間順に記録紙３０を替えてプリントするため各画像ファイルＡ〜Ｄのサムネイル画像４５の並べ替えを行う。
【００２５】
プリント位置は、例えば画像ファイルＡのサムネイル画像４５は画像記録領域３１、画像ファイルＢのサムネイル画像４５は画像記録領域３２、画像ファイルＣのサムネイル画像４５は画像記録領域３３、画像ファイルＤのサムネイル画像４５は画像記録領域３４というように決定される。
【００２６】
各画像ファイルＡ〜Ｄのプリント位置が決定されると、各画像ファイルＡ〜Ｄのサムネイル画像４５を撮影時間順に１つずつ読み出し、前述した各画像ファイル毎に決定された画像記録領域３１〜３４に各サムネイル画像４５を配置する並べ替えが行われる。各サムネイル画像４５の並べ替えが完了すると、プリントデータとしてサーマルプリンタ２２に転送される。
【００２７】
本実施形態では、まず図３に示す各画像ファイルＡ〜Ｄの１番目のサムネイル画像「Ａ1 」、「Ｂ1 」、「Ｃ1 」、「Ｄ1 」がメモリ４３から読み出される。
続いて、図２に示す画像記録領域３１に「Ａ1 」、画像記録領域３２に「Ｂ1 」、画像記録領域３３に「Ｃ1 」、画像記録領域３４に「Ｄ1 」がプリントされるようにサムネイル画像４５を配置する並べ替えが行われた後、プリントデータが作成されてサーマルプリンタ２２に転送される。以降同様にして、各画像ファイルＡ〜Ｄのサムネイル画像４５が順次読み出されて並べ替えが行われた後、プリントデータが作成されてサーマルプリンタ２２に転送される。
【００２８】
サーマルプリンタ２２はサーマルヘッド５１、プラテンローラ５２、光定着器５３等から構成されており、側面には記録紙３０を供給及び排出する記録紙出入口２２ａが設けられている。サーマルプリンタ２２内には、図示しない搬送機構が設けられており、記録紙３０を左右方向に搬送する。
【００２９】
サーマルヘッド５１は図示した位置で固定されており、多数の発熱素子が記録紙の搬送方向と直交する主走査方向にライン状に配列された発熱素子アレイ５１ａを備えている。発熱素子アレイ５１ａは、図示しないドライバを介して駆動制御され、プリント制御部４４から転送されたプリントデータに応じて各感熱発色層に適した熱エネルギーを発生する。
【００３０】
プラテンローラ５２は、記録紙３０の搬送時には下方へ待避した待避位置にセットされ、熱記録時には記録紙３０をサーマルヘッド５１の発熱素子アレイ５１ａとの間に所定の押圧力で挟み込む記録位置にセットされる。
【００３１】
光定着器５３は、サーマルヘッド５１の左方に配置され、イエロー定着ランプ５４、マゼンタ定着ランプ５５、リフレクタ５６等から構成されている。イエロー定着ランプ５４及びマゼンタ定着ランプ５５は、図示しないドライバを介して選択的に点灯される。イエロー定着ランプ５４は波長が４２０ｎｍの紫色可視光を放射し、マゼンタ定着ランプ５５は波長が３６５ｎｍの紫外線を放射する。リフレクタ５６は、イエロー及びマゼンタ定着ランプ５４，５５の上方及び側方を覆うとともに、各ランプ５４，５５から放射された定着光を反射して記録紙３０に向けて照射する。
【００３２】
次に、上記構成の作用について説明する。はじめに、デジタルビデオカメラ１０をパーソナルコンピュータ１８に接続する。そして、キーボード２４またはマウス２５を用いてデジタルビデオカメラ１０からパーソナルコンピュータ１８への動画の転送開始を指示する。
【００３３】
転送開始が指示されると、撮影した動画のデジタルビデオ信号がインターフェース部１５，４１を介して、デジタルビデオカメラ１０からパーソナルコンピュータ１８へ転送される。転送された動画のデジタルビデオ信号は、画像ファイルＡとしてハードディスク２１に記憶される。以下、同様にして、画像ファイルＢ〜Ｄがハードディスク２１に記憶される。
【００３４】
画像ファイルＡ〜Ｄの動画プリントをプリントする際には、まずキーボード２４またはマウス２５を用いてハードディスク２１に記憶された画像ファイルの中から画像ファイルＡを選択する。画像ファイルＡが選択されると、画像ファイルＡの動画がモニタ２３に表示される。
【００３５】
ユーザーは、モニタ２３に表示される画像ファイルＡの動画を見ながら、キーボード２４またはマウス２５を用いてプリントを希望する画像フレームを選択する。選択した画像フレームは、画像読込部４２に読み込まれてサムネイル画像４５が作成される。作成されたサムネイル画像４５は、メモリ４３内の画像ファイルＡの領域に書き込まれる。
【００３６】
以下、同様にしてユーザーが選択した画像フレームのサムネイル画像４５が作成されてメモリ４３に書き込まれていく。また、画像ファイルＢ〜Ｄについても、同様にして各画像ファイルの動画を見ながらプリントを希望する画像フレームを選択し、各サムネイル画像４５を作成してメモリ４３に書き込む。
【００３７】
各画像ファイルＡ〜Ｄ内のプリントを希望する画像フレームの選択が完了して動画プリント開始の指示がなされると、プリント制御部４４は撮影時間順で各画像ファイルＡ〜Ｄの１番目のサムネイル画像４５をメモリ４３から読み出す。各サムネイル画像４５は、各画像ファイルＡ〜Ｄ毎に決定された画像記録領域３１〜３４にプリントされるように並べ替えられる。各サムネイル画像４５の並べ替えが完了すると、プリントデータとしてサーマルプリンタ２２に転送される。
【００３８】
サーマルプリンタ２２の記録紙出入口２２ａから供給された記録紙３０は、搬送機構によって左方向に搬送される。記録紙３０の先端が発熱素子アレイ５１ａに達すると、プラテンローラ５２は記録位置にセットされる。さらに記録紙３０が搬送されて画像記録開始位置が発熱素子アレイ５１ａに達すると、各発熱素子がプリントデータのイエロー画像の各画素に応じた熱エネルギーを発生してイエロー感熱発色層にイエロー画像を１ラインずつ熱記録する。
【００３９】
イエロー感熱発色層への熱記録が終了すると、記録紙３０の搬送が一旦停止してプラテンローラ５２が待避位置にセットされる。そして、イエロー定着ランプ５４が点灯されて記録紙３０が右方向に搬送される。この搬送中に、イエロー定着ランプ５４から放射される発光波長ピークが４２０ｎｍの紫色可視光によってイエロー感熱発色層が定着される。記録紙３０の画像記録開始位置が、再び発熱素子アレイ５１ａを通過すると記録紙３０の搬送が停止するとともに、イエロー定着ランプ５４が消灯する。
【００４０】
次に、マゼンタ画像の熱記録を行うために再びプラテンローラ５２が記録位置にセットされ、記録紙３０が左方向に搬送される。画像記録開始位置が発熱素子アレイ５１ａに達すると、各発熱素子がプリントデータのマゼンタ画像の各画素に応じた熱エネルギーを発生してマゼンタ感熱発色層にマゼンタ画像を１ラインずつ熱記録する。
【００４１】
マゼンタ感熱発色層への熱記録が終了すると、記録紙３０の搬送が一旦停止してプラテンローラ５２が待避位置にセットされる。そして、マゼンタ定着ランプ５５が点灯されて、記録紙３０が右方向に搬送される。この搬送中に、マゼンタ定着ランプ５５から放射される発光波長ピークが３６５ｎｍの紫外線によってマゼンタ感熱発色層が定着される。記録紙３０の画像記録開始位置が、再び発熱素子アレイ５１ａを通過すると記録紙３０の搬送が停止するとともに、マゼンタ定着ランプ５５が消灯する。
【００４２】
続いて、シアン画像の熱記録を行うためにプラテンローラ５２が再び記録位置にセットされ、記録紙３０が左方向に搬送される。画像記録開始位置が発熱素子アレイ５１ａに達すると、各発熱素子がプリントデータのシアン画像の各画素に応じた熱エネルギーを発生してシアン感熱発色層にシアン画像を１ラインずつ熱記録する。
【００４３】
シアン感熱発色層への熱記録が終了すると、記録紙３０の搬送が一旦停止してプラテンローラ５２が待避位置にセットされる。そして、マゼンタ定着ランプ５５が点灯されて、記録紙３０が右方向に搬送される。この搬送中に、記録紙３０の画像が記録されていない余白部分が定着（漂白）されてプリントが完了する。
プリントが完了した記録紙３０は、記録紙出入口２２ａから排出される。
【００４４】
以降、撮影時間が２番目、３番目という順にプリントするサムネイル画像４５がなくなるまで、上記と同様にして各サムネイル画像４５の並べ替え、プリントデータの作成、記録紙３０へのプリントが繰り返される。こうして、各画像ファイルＡ〜Ｄのサムネイル画像４５が各画像記録領域３１〜３４に配置され、かつ撮影時間順にそれぞれ記録紙３０を替えてプリントされた動画プリントが得られる。
【００４５】
このように各画像ファイルＡ〜Ｄのサムネイル画像４５がプリントされた記録紙３０は、１番目のサムネイル画像４５がプリントされた記録紙３０から順に重ね、貫通穴３５に位置決めピン３６を挿入して記録紙３０を所定の位置に位置決めする。そして、各画像ファイルＡ〜Ｄのサムネイル画像４５を見る場合には、各窓３１ｂ〜３４ｂに指先を入れて各画像記録領域３１〜３４をそれぞれ下から上に順にめくることで、視線を移動することなく撮影時間順に各画像ファイルＡ〜Ｄのサムネイル画像４５を見ることができる。
【００４６】
なお、上記実施形態では、記録紙の位置決めを行う貫通穴を記録紙の角部に１箇所だけ設けているが、図４に示すように、各画像記録領域６１〜６４の近傍に記録紙６０を位置決めする貫通穴６５をそれぞれ設けてもよい。また、各画像記録領域の周囲に切り込みを設けているが、これらの切り込みを設けずに記録紙全体を順にめくるようにして各画像ファイルのサムネイル画像を見るようにしてもよい。さらに、この切り込みを設けていない記録紙を用いる際には、各サムネイル画像を記録紙の角部にプリントするようにしてもよい。
【００４７】
上記実施形態では、１枚の記録紙に４つの画像記録領域を設けているが、本発明はこれに限られず、画像記録領域は２つ、６つ等いずれでもよい。また、画像記録領域にサムネイル画像のみをプリントしているが、画像ファイル名、フレーム番号、撮影時刻等の情報をサムネイル画像とともにプリントしてもよい。
【００４８】
上記実施形態では、各画像記録領域毎に異なる画像ファイルのサムネイル画像をプリントしているが、同一の画像ファイルのサムネイル画像を撮影時間順に分割してそれぞれの画像記録領域にプリントするようにしてもよい。
【００４９】
上記実施形態では、同じプリント条件で各サムネイル画像を記録紙にプリントしているが、撮影時間が最初のサムネイル画像及び最後のサムネイル画像は高解像度で記録紙にプリントし、その他の各サムネイル画像は低解像度で記録紙にプリントしてもよい。この場合には、撮影時間が最初と最後のサムネイル画像以外の各サムネイル画像は低解像度なので高速にプリントされ、動画プリントを作成する際の全プリント時間を短縮することができる。
【００５０】
上記実施形態では、サーマルプリンタを用いているが、本発明はこれに限られず、インクジェットプリンタ、熱転写プリンタ、レーザープリンタ等を用いてもよい。この場合には、記録紙として普通紙、コート紙等を使用する。
【００５１】
上記実施形態では、撮影した動画を一旦ハードディスクに画像ファイルとして記憶させてからプリントを希望する画像フレームを選択しているが、デジタルビデオカメラからパーソナルコンピュータへデジタルビデオ信号が転送される際に動画をモニタに表示してプリントを希望する画像フレームを選択するようにしてもよい。
【００５２】
上記実施形態では、動画を対象にして画像フレームを縮小表示したサムネイル画像を記録紙にプリントしているが、対象は静止画であってもよく、この場合には多数の静止画像でも短時間でその内容を確認することができる。
【００５３】
【発明の効果】
以上のように、本発明の画像形成方法及びその記録媒体によれば、１つ又は複数の動画からそれぞれ作成した複数のサムネイル画像を記録媒体にプリントする際に、１つの記録媒体に対して各動画の撮影時間順にサムネイル画像を１つずつ配置し、かつ同じ動画から選択された画像フレームのサムネイル画像を各記録媒体の同じ位置に配置してプリントするので、プリントした複数のサムネイル画像を見る際に視線を移動させることがなく素早く内容が確認できとともに、多数のサムネイル画像をプリントする場合でも各サムネイル画像のプリントサイズが小さくなって見えずらくなることがない。
【図面の簡単な説明】
【図１】デジタルビデオカメラ及び画像形成装置の構成を示すブロック図である。
【図２】記録紙の構成を示す概略図である。
【図３】メモリ内のファイル構造の概略を説明する概略図である。
【図４】第２実施形態の記録紙の構成を示す概略図である。
【符号の説明】
１０  デジタルビデオカメラ
１８  パーソナルコンピュータ
２０  画像形成装置
２１  ハードディスク
２２  サーマルプリンタ
３０  記録紙
３１，３２，３３，３４  画像記録領域
４２  画像読込部
４４  プリント制御部
４５  サムネイル画像
【図１】
0004526205.tif 000002
【図２】
0004526205.tif 000003
【図３】
0004526205.tif 000004
【図４】
0004526205.tif 000005